(57)【要約】【課題】  表示ユニットを薄型化しながら、ゴミが入り込んだ際もゴミを除去することが可能な表示ユニットを備えた撮像装置を提供すること。【解決手段】  タッチパネルと、表示部と、前記タッチパネル及び表示部を保持するための表示カバー部と、前記タッチパネルと前記表示カバー部とを固定するための粘着部材とをもち、前記表示カバー部は前記粘着部材によって前記タッチパネルを固定するための固定部と、前記表示部の外周部を囲うための表示カバー開口部を持ち、前記表示部と前記タッチパネルとの間には厚み方向側に空間が設けられ、前記粘着部材は前記固定部と前記タッチパネルとの間に配置され、前記空間に延出し、かつ前記表示部を囲うための表示カバー開口部よりも狭い開口部を持つ、ことを特徴とする構成とした。【選択図】  図６
2015015605.tif 000002
【特許請求の範囲】
【請求項１】
タッチパネルと、表示部と、前記タッチパネル及び表示部を保持するための表示カバー部と、前記タッチパネルと前記表示カバー部とを固定するための粘着部材とをもち、
前記表示カバー部は前記粘着部材によって前記タッチパネルを固定するための固定部と、前記表示部の外周部を囲うための表示カバー開口部を持ち、
前記表示部と前記タッチパネルとの間には厚み方向側に空間が設けられ、
前記粘着部材は前記固定部と前記タッチパネルとの間に配置され、前記空間に延出し、かつ前記表示部を囲うための表示カバー開口部よりも狭い開口部を持つ、
ことを特徴とする撮像装置。
【請求項２】
前記タッチパネルには、前記表示部の表示領域以外を目隠しするための黒枠境界をもち、
前記開口部のぞれぞれの開口領域は、前記黒枠境界＜前記粘着部材開口部＜前記パネルカバー開口部の関係となっていることを特徴とする請求項１に記載の撮像装置。
【発明の詳細な説明】
【技術分野】
【０００１】
本発明は、撮像装置に関するものである。
【背景技術】
【０００２】
近年、ビデオカメラは扱いやすさ、携帯性がより求められるようになってきている。また、より薄型化が求められる。加えて、画面を見ながらの操作性を向上するため、表面にタッチパネルを用いた表示ユニットを用いることが増えてきている。表示ユニットが高輝度化、高精細化するにつれ、表示ユニット内のゴミがより目立つようになり、ゴミの入り込みを防止する必要が増してきている。
【０００３】
現状、タッチパネル表示部の構成は、タッチパネルをカバーに貼り付け、カバーとパネルとの間にスポンジを配置し、ゴミ混入防止を行うという構成になっている。ゴミ対策としては、撮像素子と光学部材との間のスペーサーに粘着性をもたせてゴミを吸着する構成がある（特許文献１参照）。
【先行技術文献】
【特許文献】
【０００４】
【特許文献１】特許第4352910号明細書
【発明の概要】
【発明が解決しようとする課題】
【０００５】
しかしながら特許文献１では、構造上光学部材を保持するための固定部材が必要となり、全体の厚みが厚くなってしまうという問題がある。また、スペーサーそのものの粘着性が必要なため、外観部等には使用できない。また従来の方法構成では、例えば組み立て等で一度ゴミがパネル−タッチパネル間の空間に混入した場合、ゴミが除去できないという問題がある。さらに、タッチパネル−パネル間にカバーが入り込み、かつスポンジを配置するため、パネル−タッチパネル間の隙間が大きくなり、薄型化ができないという問題がある。
【０００６】
そこで、本発明の目的は、表示ユニットを薄型化しながら、ゴミが入り込んだ際もゴミを除去することが可能な表示ユニットを備えた撮像装置を提供することである。
【課題を解決するための手段】
【０００７】
上記目的を達成するために、本発明は、タッチパネルと、表示部と、前記タッチパネル及び表示部を保持するための表示カバー部と、前記タッチパネルと前記表示カバー部とを固定するための粘着部材とをもち、前記表示カバー部は前記粘着部材によって前記タッチパネルを固定するための固定部と、前記表示部の外周部を囲うための表示カバー開口部を持ち、前記表示部と前記タッチパネルとの間には厚み方向側に空間が設けられ、前記粘着部材は前記固定部と前記タッチパネルとの間に配置され、前記空間に延出し、かつ前記表示部を囲うための表示カバー開口部よりも狭い開口部を持つ、ことを特徴とする。
【発明の効果】
【０００８】
本発明によれば、表示ユニットを薄型化しながら、ゴミが入り込んだ際もゴミを除去することが可能な表示ユニットを備えた撮像装置を提供することができる。
【図面の簡単な説明】
【０００９】
【図１】実施形態にかかわる撮像装置の機能構成図
【図２】実施形態にかかわる撮像装置の斜視図
【図３】実施形態の撮像装置の表示ユニット部を背面に向けた状態での前方斜視図
【図４】実施形態の撮像装置の表示ユニット部を斜方から見た表示ユニット部分解図
【図５】実施形態の撮像装置の表示ユニット部を斜方から見た表示ユニット部分解図
【図６】実施形態の撮像装置の表示ユニット部を光軸と垂直方向に切断した断面図
【図７】実施形態の撮像装置の表示ユニット部の内部構成のそれぞれの開口部の大きさを比較した上面図
【発明を実施するための形態】
【００１０】
［実施例１］
以下に、本発明の第1の実施例の好ましい形態を、添付の図面に基づいて詳細に説明する。
【００１１】
本実施例の撮像装置100の機能構成を図１に示す。レンズユニット部110  のレンズ部111に入射した被写体像は、イメージセンサ部112にて電荷信号に変換される。変換された電荷信号は、本体部150に配置された制御基板部120に送られ、制御基板部120に実装されている制御ＩＣ122に入力される。
【００１２】
本実施例のカメラの制御ＩＣ122は、イメージセンサ部112から送られる電荷信号を、輝度信号および色差信号のデジタル映像データに変換する画像処理部123と、ＣＰＵ及びワークメモリ部を持つ制御部124とで構成されている。画像処理部123で変換されたデジタル映像データは、制御部124の制御によって、作業領域であるメモリ部127とデータの授受をしたのち、外部記憶装置部190や外部接続端子部180への出力が行われる。この場合の外部記憶装置部とは、メモリカードやHDD等の本体へ内蔵や着脱可能な記憶装置のことを指す。
【００１３】
電源部125は電源スイッチ等の操作により撮像装置100の電源を制御部124を介して電源をON/OFFさせる。またいくつかの操作部126を持ち、操作部126が操作されるとそれぞれに割り当てられた機能を、制御部124を介して実行する。表示ユニット部200は、レンズユニット部110へ入力された被写体像、及び使用者が撮影した映像データ等を表示することができる。
【００１４】
本実施例における表示ユニット部200は映像を表示する表示部202及び透明電極にて構成されたタッチパネル部203、それぞれの入出力信号を変換して本体制御部124への入出力を行う表示基板部204を持つ。これにより、各種映像やアイコン表示を表示部202に表示し、タッチパネル203への操作入力情報により様々な入力/表示制御が可能となっている。
【００１５】
図２（ａ）は、本発明の実施形態にかかわる撮像装置の前方斜視図、図２（ｂ）は、本発明の実施形態にかかわる撮像装置の後方斜視図である。
【００１６】
本実施形の撮像装置100は、レンズユニット部110、本体部150、表示ユニット部200から構成されている。表示ユニット部200は通常収納状態では、レンズユニット部110に対し、光軸方向に表示面201の表示方向が垂直で、本体上面側になるように配置されている。本体部150は、マイクユニット部151、記録スイッチ部152、ストラップ通し穴部153、電源スイッチ部154、再生スイッチ部155、端子蓋A部160、端子蓋B部170、等から構成されている。また、端子蓋A部160、端子蓋B部170は開閉可能になっており、外部接続端子部の端子の抜き差し、及びメモリカード等の外部記憶装置の着脱が可能になっている。
【００１７】
図３は、撮像装置の表示ユニットを開けた状態の図を示す。また、図４、図５は、表示ユニット部200の斜方から見た分解図である。以下構成を説明する。タッチパネル部203は、表示部前カバー205の表示を邪魔しない開口を持ったタッチパネル受け部205aに粘着部材部206によって貼り付けられている。表示部202は、表示部前カバー205に開いた表示部用開口部205bに組み込まれる。さらに、表示基板部204がその背後に配置され、タッチパネル部203、表示部202等と電気的に接続されている。
【００１８】
加えて、表示ユニット接続用FPC250も接続されている。さらにその背面には、ヒンジユニット部210が配置され、表示ユニット部200を本体部150に対し回動自在に保持している。その背面には、収納状態を保持するための保持用磁石270が配置されている。ヒンジカバー部235等の背面部の保護及び外観を構成する背面カバー部207により背面が保護される。
【００１９】
図６（ａ）は、本実施例の表示ユニットの断面図、図６（ｂ）は、図６（ａ）の右側部の断面部分をハッチングした一部拡大図である。本実施例では、表示部前カバー205のタッチパネル受け部205aは従来のようにタッチパネル部203と表示部202の間には入り込むことなく構成することにより、表示ユニット部200の厚みを薄くすることができる。また、タッチパネル部203と表示部前カバー205を固定する粘着部材部206は、タッチパネル203に先に貼り付けすることにより、タッチパネル受け部205aへの貼り付けやすさを考慮する必要がないため、図６（ｂ）に示すようにタッチパネル受け部205aよりも開口が狭く構成され、粘着張り出し部206aが空間に張り出した構造となっている。
【００２０】
また、図４、図５に示すように、表示部202はタッチパネル203と表示面201方向に隙間を保つように、表示部前カバー205に表示面201方向に当たる表示当て部202aを持つ。これによりタッチパネル203と表示部202の間の空間部208や表示部202と表示部用開口部205bの隙間部分209に組立工程や予期せぬゴミが入りこんだ場合でも、粘着部材部206の粘着張り出し部206aによりゴミを吸着し、表示面にゴミが写り込むことを防ぐ構造となっている。
【００２１】
図７は、表示ユニット部200のうち、タッチパネル部203を外した表示面上方から見た図である。破線で示された表示部202の表示範囲をL、点線で示された粘着部材206の開口をM、表示部の外形サイズをNとすると、図７に示すように、L＜M＜Nの関係とすることにより、表示を邪魔せずゴミの映り込みを防ぐことができる。
【００２２】
以上、本発明の好ましい実施形態について説明したが、本発明はこれらの実施形態に限定されず、その要旨の範囲内で種々の変形及び変更が可能である。
【符号の説明】
【００２３】
100  撮像装置
110  レンズユニット部
150  本体部
200  表示ユニット部
202  表示部
203  タッチパネル部
204  表示基板部
205  表示部前カバー
205a  タッチパネル受け部
205b  表示部用開口部
206  粘着部材部
206a  粘着張り出し部
207  背面カバー部
208  空間部
209  隙間部分
210  ヒンジユニット部
250  表示ユニット接続用FPC
【図１】
2015015605.tif 000003
【図２】
2015015605.tif 000004
【図３】
2015015605.tif 000005
【図４】
2015015605.tif 000006
【図５】
2015015605.tif 000007
【図６】
2015015605.tif 000008
【図７】
2015015605.tif 000009